(57)【要約】      （修正有）【課題】台所火災での行為が実際にはこのように危険なものであるという現実を目の前での実演により明確な印象として焼付け教訓とすることができるようにした台所火災用危険性実演装置を提供すること。【解決手段】台所空間部をミニチュア版としてあらわす金属製のケース本体１と、少なくとも油による揚げ料理用フライパン等のミニチュア油物調理器具１４を含んで同ケース本体内に配備された台所必要備品と、天井板３の前端に開閉自在に取り付けられた上扉１８と、底面板４の前端に開閉自在に取り付けられた下扉２０と、側面板５の各前端に取り付けられた左右観音開き式に開いた状態とを得ることのできる左右一対の側面扉２１とを備えており、台所必要備品は内装したままにして上下扉および側面扉を閉止して一括的に携行可能に構成されていることを特徴とする。【選択図】図２
2011022545.tif 000002
【特許請求の範囲】
【請求項１】
背面板と天井・底面板および左右の側面板とを有して前面開放状にし台所空間部をミニチュア版としてあらわす金属製のケース本体と、少なくとも油による揚げ料理用フライパン等のミニチュア油物調理器具を含んで同ケース本体内に配備された台所必要備品と、前記天井板の前端に開閉自在に取り付けられて前記前面開放状の開口に閉じられた状態と上方に跳ね上げられて開かれた状態とを得ることのできる上扉と、前記底面板の前端に開閉自在に取り付けられて前記前面開放状の開口に閉じられた状態と前方手前に開かれた状態とを得ることのできる下扉と、前記側面板の各前端に取り付けられて前記前面開放状の開口側に閉じられた状態と左右観音開き式に開いた状態とを得ることのできる左右一対の側面扉とを備えており、台所必要備品は内装したままにして上下扉および側面扉を閉止して一括的に携行可能に構成されていることを特徴とする台所火災用危険性実演装置。
【発明の詳細な説明】
【技術分野】
【０００１】  本発明は、台所火災用危険性実演装置に関する。
【背景技術】
【０００２】  台所においては、例えば、天ぷら揚げ料理などの用をしていてそのまま放置してしまって火災になったり、あるいはその火災を回避するため消火用に水を鍋にかけたりする行為は非常に危険度の高いものとされている。
【先行技術文献】
【特許文献】
【０００３】
【特許文献１】    特になし
【発明の概要】
【発明が解決しようとする課題】
【０００４】  そうした行為が極めて危険であることはＴＶなどで報じられてはいるものの、現実問題として主婦の方は体験していないのが現状である。【０００５】  本発明は、このような従来の方法が有していた問題を解決しようとするものであり、台所火災での行為が実際にはこのように危険なものであるという現実を目の前での実演により明確な印象として焼付け啓蒙してもらうことができるようにした台所火災用危険性実演装置を提供することを目的とする。特に、そうした装置をどこでも容易に運んで主婦の方や生徒らの前ですぐに実演して現実の怖さを実感してもらうことができるようにしたものである。
【課題を解決するための手段】
【０００６】  本発明は上記目的を達成するため、請求項１に記載の発明は、背面板と天井・底面板および左右の側面板とを有して前面開放状にし台所空間部をミニチュア版としてあらわす金属製のケース本体と、少なくとも油による揚げ料理用フライパン等のミニチュア油物調理器具を含んで同ケース本体内に配備された台所必要備品と、前記天井板の前端に開閉自在に取り付けられて前記前面開放状の開口に閉じられた状態と上方に跳ね上げられて開かれた状態とを得ることのできる上扉と、前記底面板の前端に開閉自在に取り付けられて前記前面開放状の開口に閉じられた状態と前方手前に開かれた状態とを得ることのできる下扉と、前記側面板の各前端に取り付けられて前記前面開放状の開口側に閉じられた状態と左右観音開き式に開いた状態とを得ることのできる左右一対の側面扉とを備えており、台所必要備品は内装したままにして上下扉および側面扉を閉止して一括的に携行可能に構成されていることを特徴とする。
【発明の効果】
【０００７】  本発明の台所火災用危険性実演装置は上述のように構成されているので、台所火災での行為が実際にはこのように危険なものであるという現実を目の前での実演により明確な印象として焼付け教訓とすることができるようにした台所火災用危険性実演装置を提供することができる。特に、そうした装置をどこでも容易に運んですぐに実演することができるものである。
【図面の簡単な説明】
【０００８】
【図１】本発明の台所火災用危険性実演装置の携行可能な状況での一実施形態を示す正面からみた斜視図。
【図２】図１の実演装置の実演状況を示す斜視図。
【図３】他の実施形態を同時に示す図２の中央縦断側面図。
【図４】他の実施形態を示す側断面図。
【図５】他の実施形態を示す側断面図。
【図６】図５の装置を利用して紙芝居を構成した状態を示す斜視図。
【図７】紙芝居の他の実施形態を示す側面図。
【図８】図１に対応する実演装置の平面図。
【図９】図８の正面図。
【図１０】図９の背面図。
【図１１】図９の底面図。
【図１２】図９の右側面図。
【図１３】図９のＡ−Ａ線断面図。
【発明を実施するための形態】
【０００９】  以下、本発明の実施の一形態を図１〜図３ならびに図８〜図１３に基づいて説明する。
【００１０】  これらの図に示すように、Ｓは台所火災用危険性実演装置で図１は携行（持ち運び）可能な状態、図２は実演状態でそれぞれ示す。１はケース本体でステンレス板金製であり、同本体１は、背面板２と天井板３・底面板４および左右の側面板５，５とを有して前面開放状にし台所空間部をミニチュア版としてあらわすものである。
【００１１】  背面板２は、横幅Ｌが５００ｍｍで高さＨが３００ｍｍの矩形板とされ、天井板３は幅Ｌが５００ｍｍで奥行きＷが１５０ｍｍとされるとともに、底面板４は天井板３と同じ寸法とされている。側面板５は奥行きＷが１５０ｍｍで高さＨが３００ｍｍとされている。同本体１は横長状で矩形の前面開口６を有し、その上下および左右前端縁にはヒンジ７…を備えている。側面板５には通覧窓板８が取り付けられて炎などの危険なくして横や斜め方向からも見通すことができるようになっている。９は取っ手で、天井板３の中央個所に取り付けられており、この取っ手９には、先端に引っ掛けリング１０を備えた引きチェーン１１が設けられている。
【００１２】  ケース本体１内には、流し台１３と油物調理器具（フライパン）１４付きコンロ台１５および冷蔵庫１６などの台所必要備品がミニチュア版として固定して配備されている。これらは脱着可能にしてもよい。
これら台所必要備品の奥行きＷ１は１００ｍｍで、その前端とケース本体１の前端との間の控え寸法Ｗ２は５０ｍｍとしてある。このＷ２は殆ど０にしたり１０ｍｍあるいは２０ｍｍなどと前記５０ｍｍよりも小さくしてもよい。
【００１３】  １８は上扉で、矩形をしたステンレス板金製で幅Ｌは５００ｍｍで高さが１／２Ｈ（１５０ｍｍ）として前記ヒンジ７で天井板３の前端に開閉自在に取り付けられて、前記前面開放状の開口６の上半分に閉じられた状態と上方に跳ね上げられて開かれた状態とを得ることができる。上扉１８が跳ね上げられたとき、同扉１８の２個所（あるいは１個所）に突設した係合タブ１９に前記リング１０を引っ掛けることでチェーン１１が引かれた状態で開き状態を得ることができる。
【００１４】  ２０は下扉で、矩形をしたステンレス板金製で幅Ｌは５００ｍｍで高さが１／２Ｈ（１５０ｍｍ）として前記ヒンジ７で底面板４の前端に開閉自在に取り付けられ、前記開口６の下半分に閉じられた状態と前方手前に水平に突き出した開き状態とを得ることができる。
２１は側面扉で、ステンレス板金製で通覧板２２を備えて幅Ｂが１５０ｍｍで高さＨが３００ｍｍとして形成されており、前記ヒンジ７を介して開口６の左右端縁に開閉自在に取り付けられている。同側面扉２１は、上扉１８と下扉２０を閉じたのちにその表面に閉じられるようになっている。そして、この閉じた状態は、図２のように下扉２０側のスチール片２３と側面扉２１側のマグネット２４との吸着で得られるようにしたり、図１のように面ファスナーバンド（ゴムバンドでも可能）２５により締付けるようにして携行時に勝手に開かないようにする。
【００１５】  尚、２７は座で、実演台２８と装置Ｓとの間に間隔を置いて台２８の火災損傷を防ぐために設けられ、同座２７は、キャスター２９にしてもよい。このキャスター２９は、４個所に設けたり、例えば、左側２個所のみとすることがある。
また、図２に仮想線で示すように、下扉２０の周りには、飛び散った油がこぼれ出ないようにフランジ３０を付してもよい。
さらに、側面扉２１の下端には、下扉２０が乗り掛かる曲げ片３１を備えてもよい。
【００２０】  装置Ｓは、図１のように、台所必要備品を内装したまま上下扉１８，２０を閉じ側面扉２１をその上に閉じた状態で閉止状態にして携行される。実演に際しては、図２のように、これらの扉１８，２０，２１を開いてフライパン１４に油を入れて加熱し、そのまま放置して火災現場をつくったり、加熱されたフライパン１４内に水をかけることで異常火災を実演する。
尚、３２は布巾入れ、３３は補充油びん入れである。
【００２１】  図３のように、上扉１８には火災報知器３５を取り付けるようにしてもよい。
また、ケース本体１の天井裏面は実演による火炎によって黒く煤けることがあり、そのため、脱着保持具３６により耐熱パッド３７を交換自在に設けてもよい。
さらに、図３ないし図５に示すように、ケース本体１の裏面、天面、側面を通じて注滴具３８を設けてスポイド３９で水を少量ずつ注ぐようにしてもよい。図５の４０は耐熱台である。
【００２２】  尚、図６に示すように、装置Ｓの開口７前に啓蒙用の紙芝居４２を設けてもよい。この紙芝居４２は、図７のようにケース本体１の上面に設けてもよい。４３はカタログ４４の容器で、ケース本体１の裏面部に設けるようにしてある。
【符号の説明】
【００２３】  １…ケース本体  ９…取っ手  １０…引っ掛けリング  １１…引きチェーン  １４…油物調理器具  １８…上扉  １９…係合タブ  ２０…下扉  ２１…側面扉。
【図１】
2011022545.tif 000003
【図２】
2011022545.tif 000004
【図３】
2011022545.tif 000005
【図４】
2011022545.tif 000006
【図５】
2011022545.tif 000007
【図６】
2011022545.tif 000008
【図７】
2011022545.tif 000009
【図８】
2011022545.tif 000010
【図９】
2011022545.tif 000011
【図１０】
2011022545.tif 000012
【図１１】
2011022545.tif 000013
【図１２】
2011022545.tif 000014
【図１３】
2011022545.tif 000015